(57)【特許請求の範囲】
【請求項１】
矩形状のプリント基板上に電子部品を搭載し、かつ、前記プリント基板の長手方向に延びる両側縁部上面に曲げ角度表示用のマーク部を設けた回路基板と、
底面部及びこの底面部から相対向して設けられた一対の立上り壁部から形成され、前記底面部に凸部とこれより低い載置凹部を有した支持片部を設けるとともに、前記立上り壁部の夫々に内方に折曲げられる回路基板固定用爪部を有する金属製の回路基板取付板と、
を具備し、
前記回路基板の長手方向両側端縁を前記立上り壁部の内側面に近接または当接させるとともに、前記回路基板の両端を前記凸部で規制して前記回路基板を前記載置凹部上に載置させた状態で、前記回路基板固定用爪部を、その下端面を前記回路基板の上面に近接または当接しつつ前記マーク部で示された曲げ角度に折曲げて、前記回路基板を固定したことを特徴とする回路基板取付装置。
【請求項２】
矩形状のプリント基板上に電子部品を搭載し、かつ、前記プリント基板の長手方向に延びる両側縁部上面に曲げ角度表示用のマーク部を設けた回路基板と、
底面部及びこの底面部から相対向して設けられた一対の立上り壁部から形成され、前記底面部に凸部とこれより低い載置凹部を有した支持片部を設けるとともに、前記立上り壁部の夫々に内方に折曲げられる回路基板固定用爪部が形成された金属製の底板と、
この底板に取付けられるカバーと、
を具備し、
前記回路基板の長手方向両側端縁を前記立上り壁部の内側面に近接または当接させるとともに、前記回路基板の両端を前記凸部で規制して前記回路基板を前記載置凹部上に載置させた状態で、前記回路基板固定用爪部を、その下端面を前記回路基板の上面に近接または当接しつつ前記マーク部で示された曲げ角度に折曲げて、前記回路基板を固定したことを特徴とする放電灯点灯装置。
【発明の詳細な説明】
【０００１】
【発明の属する技術分野】
本発明は、電子部品などが搭載された回路基板を本体ケースに取付ける回路基板取付装置および放電灯点灯装置に関する。
【０００２】
【従来の技術】
従来技術について、図７ないし図８を参照して説明する。
【０００３】
図７は電子部品などが搭載された放電灯点灯装置の回路基板を示すもので、従来、回路基板５は、矩形状をしたプリント基板６上に抵抗、ＳＣＲおよびコイルなどの電子部品７が搭載されている。当該電子部品７などが搭載された回路基板５は、図示しない金属製の本体ケース内に収納されている。
【０００４】
上記本体ケースは、図示しない金属製の下方開口した箱状のカバーと、このカバーの開口（図示せず）内に嵌合して取付けられる回路基板取付板としての金属製の底板１５とから構成されている。
【０００５】
さらに、上記底板１５は、底面部１６と当該底面部１６の両側に対向して立設された一対の立上り壁部２０，２０とから構成され、当該底面部１６の長手方向には、支持片部１７が対向して立設されている。
【０００６】
前記回路基板５は、前記立上り壁部２０，２０に当接して前記支持片部１７上に載置されている。さらに、当該立上り壁部２０には、前記回路基板５の上面に沿って幅方向に折曲げられる回路基板固定用爪部２１が設けられ、当該固定用爪部２１を内側に折曲げることにより、当該回路基板５は回路基板取付板としての底板１５に固定されるものである。
【０００７】
【発明が解決しようとする課題】
上記のように従来の回路基板取付装置は、回路基板固定用爪部２１を曲げるとき、当該固定用爪部２１が電子部品などの導電部であるリードピン７ａなどに当たらないように、また絶縁耐圧を低下させないように、余裕をもって電子部品などを配置しているのみであった。
【０００８】
また、回路基板固定用爪部２１の曲げ角度も製造図面上のみで指示しているだけであった。
【０００９】
しかし、近年、例えば放電灯点灯装置の高性能化に伴い、プリント基板６に搭載される部品点数が増加し、高密度に電子部品などが回路基板５上に配置されるようになってきた。
【００１０】
このため、回路基板固定用爪部を曲げたとき、当該固定用爪部と電子部品のリードピン７ａなどの導電部との絶縁距離に余裕を持たせて配置することが困難になってきている。
【００１１】
従来方式であると、工程において、作業者が前記回路基板固定用爪部を曲げ過ぎると、絶縁耐圧不良が起こりやすくなる場合があるという問題があった。
【００１２】
また、当該固定用爪部の曲げを機械で行う場合、当該固定用爪部の曲げ角度が図面上で指示されているだけなので、作業開始前に当該固定用爪部の曲げ角度を測定して当該機械を調整する必要があり、作業開始前の当該機械の調整に手間がかかるとともに曲げ角度の検査に手間がかかるという問題があった。
【００１３】
本発明は上記の点に鑑みてなされたもので、固定用爪部の曲げ作業とその管理が容易な回路基板取付装置および放電灯点灯装置を提供することを課題とする。
【００１４】
【課題を解決するための手段】
前記課題を達成するため、本発明の回路基板取付装置は、矩形状のプリント基板上に電子部品を搭載し、かつ、前記プリント基板の長手方向に延びる両側縁部上面に曲げ角度表示用のマーク部を設けた回路基板と、底面部及びこの底面部から相対向して設けられた一対の立上り壁部から形成され、前記底面部に凸部とこれより低い載置凹部を有した支持片部を設けるとともに、前記立上り壁部の夫々に内方に折曲げられる回路基板固定用爪部を有する金属製の回路基板取付板と、を具備し、前記回路基板の長手方向両側端縁を前記立上り壁部の内側面に近接または当接させるとともに、前記回路基板の両端を前記凸部で規制して前記回路基板を前記載置凹部上に載置させた状態で、前記回路基板固定用爪部を、その下端面を前記回路基板の上面に近接または当接しつつ前記マーク部で示された曲げ角度に折曲げて、前記回路基板を固定したことを特徴とするものである。
又、前記課題を達成するため、本発明の放電灯点灯装置は、矩形状のプリント基板上に電子部品を搭載し、かつ、前記プリント基板の長手方向に延びる両側縁部上面に曲げ角度表示用のマーク部を設けた回路基板と、底面部及びこの底面部から相対向して設けられた一対の立上り壁部から形成され、前記底面部に凸部とこれより低い載置凹部を有した支持片部を設けるとともに、前記立上り壁部の夫々に内方に折曲げられる回路基板固定用爪部が形成された金属製の底板と、この底板に取付けられるカバーと、を具備し、前記回路基板の長手方向両側端縁を前記立上り壁部の内側面に近接または当接させるとともに、前記回路基板の両端を前記凸部で規制して前記回路基板を前記載置凹部上に載置させた状態で、前記回路基板固定用爪部を、その下端面を前記回路基板の上面に近接または当接しつつ前記マーク部で示された曲げ角度に折曲げて、前記回路基板を固定したことを特徴とするものである。
【００１５】
上記の構成において、作業者が回路基板固定用爪部を曲げるとき、回路基板に設けられたマーク部の曲げ角度まで当該固定用爪部を曲げればよいので、当該固定用爪部を曲げ過ぎたか否か一目でチェックすることができる。
【００１６】
また、当該固定用爪部の曲げを機械で行う場合、当該固定用爪部の曲げ角度を回路基板上に設けたマーク部に位置合わせして調整すればよいので、当該固定用爪部の曲げ角度の調整が容易に行える。
【００１７】
【発明の実施の形態】
以下、図１ないし図６を参照して本発明の実施の形態を説明する。なお、従来技術と同一構成部品は同一番号を付して説明する。
【００１８】
図２は回路基板３０を収納する本体ケースを示すもので、本体ケース１０は、幅方向に断面略コ字状をした回路基板取付板としての金属製の底板１５と、この底板１５を覆って取付けられる下方開口した金属製の箱状をしたカバー１１とから構成されている。
【００１９】
前記底板１５は矩形状をした平坦状の底面部１６と、この底面部１６の長手方向両側に上方に向けて対向して垂直に立設された一対の立上り壁部２０，２０とから構成されている。
【００２０】
さらに、前記底面部１６の長手方向に沿って両側に対向して載置凹部１８を有する略Ｌ字状の支持片部１７が、当該底面部１６から垂直に切り起こして４個設けられている。当該立上り壁部２０には、幅方向に折曲げられる略矩形状をした回路基板固定用爪部２１が対向して４個形成されている。
【００２１】
図３は回路基板固定用爪部２１の曲げ角度を示すマーク部３１を設けたプリント基板６に電子部品などを搭載した回路基板を示すもので、当該回路基板３０は、従来技術と同一形状をした矩形状のプリント基板６上に抵抗、ＳＣＲおよびコイルなどの電子部品７が搭載されるとともに、前記底板１５に形成された固定用爪部２１が折曲げられる曲げ角度を示すマーク部３１が印刷などで表示されている。
【００２２】
当該マーク部３１は、プリント基板６の長手方向４隅に位置して図３に示すように形成されているとともに、電子部品７などの導電部材と所定距離離間するような形状に形成されている。
【００２３】
当該マーク部３１は図４（Ａ）に示すように、扇子状で黒く塗り潰されているものでもよいし、また、図４（Ｂ）に示すような形状であってもよい。さらに、マーク部３１は、プリント基板６上にシルク印刷で一体的に印刷してもよいし、また、片面に接着剤が塗布された透明なシールにマーク部３１を印刷し、当該プリント基板６の所定の位置に貼り付けてもよい。
【００２４】
回路基板を本体ケースに収納する手順を図１、図５および図６を参照して説明する。
【００２５】
最初に、回路基板３０の長手方向両側端縁を底板１５の立上り壁部２０,２０の内壁面に近接、または当接させつつ、当該回路基板３０を支持片部１７の載置凹部１８上に載置する。この状態では、当該回路基板３０の幅方向は、立上り壁部２０で規制されるとともに、当該回路基板３０の両端は、支持片部１７の凸部１８ａで規制されるので、当該回路基板３０は、上方に動く以外は所定の位置に固定されている。
【００２６】
つぎに、底板１５の立上り壁部２０に形成された固定用爪部２１をそれぞれ内方に折曲げると、当該固定用爪部２１の下端面は、当該回路基板３０の上面部に近接または当接しつつ内方に折曲げられる。
【００２７】
当該回路基板３０の上面部には、図６に示すように当該固定用爪部２１の曲げ角度を示すマーク部３１が設けられているので、当該固定用爪部２１を曲げるときは、当該マーク部３１を目視しながら当該固定用爪部２１を内方に折曲げればマーク部３１に示す角度以上に折曲げることはない。
【００２８】
また、当該固定用爪部２１を内方に折曲げ過ぎた場合には、当該固定用爪部２１が、マーク部３１の外側に突出した状態になるので一目でチェックすることができる。なお、前記固定用爪部２１の長さも前記マーク部３１で管理することができる。
【００２９】
次に上記実施の形態の作用を説明する。
【００３０】
作業者が回路基板固定用爪部２１を曲げるとき、回路基板３０に設けられたマーク部３１の曲げ角度まで当該固定用爪部２１を曲げればよいので、当該固定用爪部２１を曲げ過ぎたか否かを一目でチェックすることができ、当該固定用爪部２１の曲げ過ぎによる当該固定用爪部２１と電子部品７などの導通部との絶縁耐圧不良を防止できる。
【００３１】
また、当該固定用爪部２１の曲げを機械で行う場合、当該固定用爪部２１の曲げ角度を回路基板３０上に設けたマーク部３１に位置合わせして調整すればよいので、当該固定用爪部２１の曲げ角度の調整が容易に行える。
【００３２】
【発明の効果】
以上詳記したように本発明の回路基板取付装置及び放電灯点灯装置によれば、回路基板に回路基板固定用爪部の曲げ角度を示すマーク部を設けたので、回路基板固定用爪部の曲げ角度が明確になり、一対の立上り壁部で幅方向に規制される回路基板を支持片部の載置凹部に載置するとともに、支持片部の凸部で回路基板の両端を規制した状態で、回路基板の上面部に沿って折曲げられて回路基板を固定する回路基板固定用爪部の曲げ過ぎによって、当該固定用爪部と電子部品のリードピンなどが触れたり、当該固定用爪部と電子部品のリードピン間などの距離が近ずき過ぎて絶縁耐圧不良になることを防止することができる。
【００３３】
また、当該固定用爪部の曲げを機械で行う場合、当該固定用爪部の曲げ角度を回路基板上のマーク部に合せればよいので、容易に当該機械の調整が可能になる。
【図面の簡単な説明】
【図１】本発明の第１実施の形態に係る底板に回路基板を取付けた状態を示す斜視図。
【図２】同実施の形態における本体ケースを示す分解斜視図。
【図３】同実施の形態における回路基板を示す上面図。
【図４】同実施の形態におけるマーク部を示すもので、（Ａ）は第１の実施の形態。  （Ｂ）は第１の実施の形態。
【図５】同実施の形態における底板に回路基板を搭載した状態を示すもので、（Ａ）は上面図。  （Ｂ）は側面断面図。
【図６】同実施の形態における底板に形成された固定爪部を折曲げて回路基板を当該底板に取付けた状態を示す上面図。
【図７】従来技術に係る回路基板を示す上面図。
【図８】従来技術に係る底板に形成された固定爪部を折曲げて回路基板を当該底板に取付けた状態を示す上面図。
【符号の説明】
６…プリント基板、７…電子部品、１０…本体ケース、１１…カバー、１５…底板（回路基板取付板）、１７…支持片部、１８…支持片部の載置凹部、１８ａ…支持片部の凸部、２０…立上り壁部、２１…回路基板固定用爪部、３０…回路基板、３１…マーク部。
【図１】
0003713851.tif 000002
【図２】
0003713851.tif 000003
【図３】
0003713851.tif 000004
【図４】
0003713851.tif 000005
【図５】
0003713851.tif 000006
【図６】
0003713851.tif 000007
【図７】
0003713851.tif 000008
【図８】
0003713851.tif 000009